(57)【要約】      （修正有）【課題】視聴者にとって、必要な時に、また必要な時間だけ、番組詳細情報を表示できるようにする。【解決手段】番組詳細情報を表示する詳細情報表示部と、該番組詳細情報の閲覧履歴を記憶するための閲覧履歴記憶部と、前記閲覧履歴記憶部に記憶された閲覧履歴情報を基に、前記詳細情報表示部における番組詳細情報の表示を制御する表示制御部を備えた表示装置。【選択図】図１
2011160237.tif 000002
【特許請求の範囲】
【請求項１】
番組詳細情報を表示する詳細情報表示部と、
該番組詳細情報の閲覧履歴を記憶するための閲覧履歴記憶部と、
前記詳細情報表示部における番組詳細情報の表示を制御する表示制御部と
を備えた表示装置であって、
前記表示制御部は、番組詳細情報の表示制御または番組詳細情報の表示形態を変える制御を行うことを特徴とする表示装置。
【請求項２】
請求項１記載の表示装置であって、
番組リストから項目を選択する項目選択部を有し、
前記詳細情報表示部で表示される番組詳細情報は前記項目選択部で選択された項目に対応する番組詳細情報であることを特徴とする表示装置。
【請求項３】
請求項１または請求項２記載の表示装置であって、
前記閲覧履歴記憶部において、
視聴者が閲覧した番組詳細情報を忘れたことを判別し、
該判別に基づいて前記閲覧履歴記憶部に記憶された閲覧履歴の情報が更新されることを含む表示装置。
【請求項４】
請求項１から請求項３記載の表示装置であって、
前記閲覧履歴記憶部は視聴者個人に応じて閲覧履歴の情報を管理することを特徴とする表示装置。
【請求項５】
番組詳細情報の閲覧履歴を参照するステップと、
参照した閲覧履歴を基に前記番組詳細情報の表示を制御するステップとから成り、
前記表示を制御するステップは、
番組詳細情報を表示するための制御を行うステップと、表示された番組詳細情報を非表示にするための制御を行うステップと、番組詳細情報の表示形態を変えるための制御を行うステップのうち、少なくとも一つのステップから成ることを特徴とする番組詳細情報表示方法。
【請求項６】
請求項５記載の番組詳細情報表示方法であって、
前記閲覧履歴を参照するステップにおいて、閲覧履歴は視聴者毎に参照されることを特徴とする番組詳細情報表示方法。
【請求項７】
請求項５または請求項６記載の番組詳細情報表示方法であって、
視聴者が閲覧した番組詳細情報の内容を忘れることを判別するステップと、
該判別に基づいて閲覧履歴の情報を更新するステップとを含むことを特徴とする番組詳細情報表示方法。
【発明の詳細な説明】
【技術分野】
【０００１】
本発明は、番組詳細情報を表示するための表示方法及びその表示装置に関する。
【背景技術】
【０００２】
今日、番組を表示する表示装置は、視聴者が視聴したい番組を選択するための参考情報として、電子番組表や番組詳細情報を表示画面上に表示することが多い。番組詳細情報を表示装置に表示すると文字数が多い為、番組詳細情報のための表示領域を広く取らなければならないが、もし、番組詳細情報の表示を視聴者が必要としていなかった場合、表示された番組詳細情報により番組映像などの視聴を邪魔してしまうことがあった。このような状況を回避するため、番組詳細情報を不必要に表示しない技術を開示した以下の先行技術が存在する。
【０００３】
特許文献１では文字数に応じて詳細情報の表示時間を変更する技術が述べられている。この技術は詳細情報の文字数が多いほど長時間表示するもので、文字数が少ない時の表示時間は短時間であり、不必要に長時間番組詳細情報を表示することがない。
【０００４】
また、特許文献２では、ジャンル情報など過去のサービスの選択履歴に基づき、視聴者にとって有用なサービス情報を提供する技術が開示されている。即ち、複数の番組詳細情報の中から視聴者にとって有用な番組詳細情報を選別し表示することができるため、不必要な番組詳細情報を表示することがない。
【先行技術文献】
【特許文献】
【０００５】
【特許文献１】特開平１０−２７５２１０（平成１０年１０月１３日公開）
【特許文献２】特開２００７−８９１９８（２００７年４月５日公開）
【発明の概要】
【発明が解決しようとする課題】
【０００６】
しかしながら、特許文献１では、詳細情報の表示時間を文字数の多さに応じて調整しているため、視聴者がその詳細情報を既に知っており、視聴者にとって詳細情報を必要とする程度が低い場合であっても、文字数が多ければ長時間表示されてしまい、視聴者のニーズには有っていないという課題があった。
【０００７】
また、特許文献２では、選別されたサービス情報を視聴者が知っていたとしても、そのサービス情報がユーザの興味に合致したものであれば表示されてしまい、やはり、視聴者のニーズには合っていないという課題があった。
【０００８】
さらに、特許文献１および特許文献２では、表示する番組詳細情報もしくはサービス情報の内容を視聴者が既に知っている場合でも、それらの情報が前面に表示され目立ってしまい、かえって視聴者の視聴の妨げになるという課題があった。
【０００９】
そこで、本発明では、表示しようとする又は表示された番組詳細情報が視聴者にとって未知のものか既知のものかを判断することで、視聴者が該番組詳細情報を必要とする程度を見極め、その判断に応じて番組詳細情報の表示方法を変化させるための表示装置およびその表示方法を提供することを目的とする。
【課題を解決するための手段】
【００１０】
本発明を実施する表示装置は、番組詳細情報を表示する詳細情報表示部と、該番組詳細情報の閲覧履歴を記憶するための閲覧履歴記憶部と、前記詳細情報表示部における番組詳細情報の表示を制御する表示制御部を備えた表示装置であって、前記表示制御部は、番組詳細情報を表示するための制御と、表示された番組詳細情報を非表示にするための制御と、番組詳細情報の表示形態を変えるための制御のうち、少なくとも一つの制御を行うことを特徴とする。
【００１１】
更なる発明を実施する表示装置は、番組リストから項目を選択する項目選択部を有し、前記詳細情報表示部で表示される番組詳細情報は前記項目選択部で選択された項目に対応する番組詳細情報であることを特徴とする。
【００１２】
また、更なる発明を実施する表示装置において、前記閲覧履歴記憶部は、視聴者が閲覧した番組詳細情報を忘れたことを判別し、該判別に基づいて前記閲覧履歴記憶部に記憶された閲覧履歴の情報が更新されることを含む。
【００１３】
また、更なる発明を実施する表示装置において、前記閲覧履歴記憶部は、視聴者個人に応じて閲覧履歴の情報を管理することを特徴とする。
【００１４】
また、本発明を実施する表示方法は、番組詳細情報の閲覧履歴を参照するステップと、参照した閲覧履歴を基に前記番組詳細情報の表示を制御するステップとから成り、前記表示を制御するステップは、番組詳細情報を表示するための制御を行うステップと、表示された番組詳細情報を非表示にするための制御を行うステップと、番組詳細情報の表示形態を変えるための制御を行うステップのうち、少なくとも一つのステップから成ることを特徴とする。
【００１５】
更なる発明を実施する表示方法は、前記閲覧履歴を参照するステップにおいて、閲覧履歴は視聴者毎に参照されることを特徴とする。
【００１６】
また、更なる発明を実施する表示方法は、視聴者が閲覧した番組詳細情報の内容を忘れることを判別するステップと、該判別に基づいて閲覧履歴の情報を更新するステップを含むことを特徴とする。
【発明の効果】
【００１７】
本発明によれば、表示される番組詳細情報が視聴者にとって未知のものか既知のものかを判断することで、必要な時に、必要な時間、番組詳細情報を表示する、番組詳細情報表示方法及び表示装置を提供することが可能になる。
【図面の簡単な説明】
【００１８】
【図１】本発明の表示装置の第一の構成及びその表示装置の表示画面の例
【図２】番組詳細情報を表示する際に制御する時間
【図３】表示制御部の処理
【図４】時間を確定する処理
【図５】閲覧履歴記憶部の処理
【図６】選択回数と表示制御部で制御する時間の関係
【図７】本発明の表示装置の第二の構成及びその表示装置の表示画面の例
【発明を実施するための形態】
【００１９】
本発明は、番組詳細情報の閲覧履歴情報を基に、番組詳細情報を表示するまでの時間を制御することにより、表示する番組詳細情報が視聴者にとって未知のものである場合は、視聴者にとって既知のものである場合と比較し、早めに番組詳細情報を表示するものである。
【００２０】
また、本発明は、番組詳細情報の閲覧履歴情報を基に、番組詳細情報を非表示するまでの時間を制御することにより、未知の番組詳細情報は、既知の番組詳細情報よりも長時間表示するものである。
【００２１】
さらに、本発明は、番組詳細情報の閲覧履歴情報を基に、番組詳細情報の表示形態を制御することにより、未知の番組詳細情報を既知の番組詳細情報に比べて目立つ表示形態で表示するものである。
【００２２】
以下、本発明の実施形態について図面を用いて説明する。
【００２３】
〔実施形態１〕
実施形態１では、番組詳細情報の閲覧履歴情報を基に、番組詳細情報を表示するまでの時間制御を行う場合の実施形態について述べる。
【００２４】
図１は、本発明の表示装置の概略及びその表示画面の１例を、それぞれ（ａ）と（ｂ）で示したものである。表示装置１０１は、少なくとも詳細情報表示部１０２、表示制御部１０３、閲覧履歴記憶部１０４を有する。表示制御部１０３は、閲覧履歴記憶部１０４を参照し、番組詳細情報が視聴者にとって未知のものか既知のものかを判断する。さらに表示制御部１０３は、その判断した結果を基に、番組詳細情報を表示するまでの時間を確定し、確定した時間が経過したかどうかを判別する。その確定した時間に基づき、前記詳細情報表示部１０２では、番組詳細情報１１１を表示する。閲覧履歴記憶部１０４には、番組詳細情報が表示された後、閲覧履歴に関する新たなデータが閲覧履歴記憶部に蓄積されて記憶されていく。なお、図１（ｂ）の表示画面の例では、番組映像１１０の一部に番組詳細情報１１１がオーバーレイ表示される例を示しているが、番組詳細情報の表示方法として、この表示形態に限定されるものではない。
【００２５】
図２は番組詳細情報を表示する際に制御する時間経過について示したものである。図２において、Ｔ１は特定のカウント処理が開始された時から番組詳細情報を表示するまでの時間を意味する。カウント処理には、例えば番組の表示や、番組詳細情報の表示などがある。また、Ｔ２は番組詳細情報を表示している時間であり、言い換えると、番組詳細情報が表示されてから非表示になるまでの時間である。
【００２６】
次に、図３ないし図７を用い、前記表示制御部の処理について詳述する。前記表示制御部における処理を図３（ａ）を用いて説明する。まず、ステップ３０１（以後、「ステップ」を「Ｓ」と記載する。）で閲覧履歴記憶部１０４の情報を参照し、Ｓ３０２で番組詳細情報を表示するまでの時間を確定する。確定した番組詳細情報を表示するまでの時間が経過したかどうかをＳ３０３で判別し、その時間が経過したと判別すると、Ｓ３０４で詳細情報表示部に対して番組詳細情報を表示させる。
【００２７】
次に、前記表示制御部１０３で行う番組詳細情報を表示するまでの時間を確定する処理であるＳ３０２について、図４（ａ）を用いて説明する。チャンネル切替や放送時間の終了により表示されている番組が変わった後に、新しい番組の番組詳細情報が表示されることになるが、まず、この番組に関する閲覧履歴を元に、Ｓ４０１で表示する番組詳細情報は視聴者にとって未知のものか既知のものかを判断する。視聴者にとって未知の番組詳細情報である場合、Ｓ４０２で番組詳細情報を表示するまでの時間がＴ１Ａであると確定されると、Ｔ１Ａ時間経過後、番組詳細情報が表示されることとなる。もし、視聴者にとって既知の番組詳細情報であった場合、Ｓ４０３で番組詳細情報を表示するまでの時間はＴ１Ｂであると確定され、Ｔ１Ｂ時間経過後、番組詳細情報が表示されることとなる。ここで、Ｔ１ＡはＴ１Ｂよりも短い時間を設定しているため、視聴者にとって未知の番組詳細情報ほど早く、表示装置に表示される。
【００２８】
次に、本発明の表示装置の閲覧履歴記憶部１０４が行う処理について、図５を用いて説明する。Ｓ５０１で詳細情報表示部が番組詳細情報を表示したことを確認すると、Ｓ５０２で表示された番組詳細情報の閲覧履歴を記憶するかどうかを判別する。閲覧履歴を記憶すると判別されると、Ｓ５０３で閲覧履歴の情報を閲覧履歴記憶部に追加する。Ｓ５０２で判別される基準の具体例を以下に示す。
・  番組詳細情報が表示されると自動的に追加する。
・  番組詳細情報の表示時間が一定時間経過すると追加する。
・  番組詳細情報が非表示にされてから追加する。
・  視聴者が表示履歴を記憶する旨を入力し、その入力に応じて追加する。
【００２９】
閲覧履歴記憶部に含まれる、閲覧履歴の情報は、タイトル、日付、時間、曜日、選択回数、詳細情報の文字列、視聴者などが挙げられる。構造化された閲覧履歴をどのような項目で管理するかは、目的に応じ、適宜選択される。
【００３０】
また、視聴者を項目の一つとして管理した場合、視聴者個人に応じて閲覧履歴の情報を管理することができる。現実には一台の表示装置を一人で使用しているとは限らず、それぞれの使用者に応じて番組詳細情報が表示されることになり、利便性が高い。
【００３１】
なお、このようにいずれの視聴者が表示装置を使用しているのかを把握・管理するために、入力装置のＩＤを検知したり、表示装置起動時に視聴者自身が入力したりして得られる情報を用いる。
【００３２】
また、選択回数の項目を参照することで、番組詳細情報を表示するまでの時間を段階的に調節し、３種類以上の任意の時間長で、段階的に詳細情報の表示までの時間を制御してもよい。例えば、選択回数が０回の場合は１０秒経過してから表示し、選択回数が１回の場合は２０秒経過してから表示し、選択回数が２回以上の場合は３０秒経過してから表示することが考えられる。
【００３３】
図６（ａ）は、閲覧履歴の情報の内の選択回数と、番組詳細情報を表示するまでの時間Ｔ１の関係を例として示したグラフである。様々な曲線が可能であるが、基本的に選択回数が多いほど長時間経過してから番組詳細情報を表示する。
【００３４】
また、上述の例においては、番組詳細情報を表示したことに伴って閲覧履歴の選択回数が増え、表示制御部で制御する時間が変化している。しかしながら、視聴者が一度閲覧した番組詳細情報であっても、閲覧した番組詳細情報の内容を忘れることがある。よって、視聴者が閲覧した番組詳細情報の内容を忘れたとみなされる場合には、閲覧履歴の選択回数を実際に選択した回数よりも減らす処理を行うこともできる。具体的には、次のような場合に、閲覧した番組詳細情報の内容を忘れたとみなすことができる。
・  前回の視聴時より一定時間が経過した場合
・  表示装置の電源が切れた場合
・  表示装置の近くに視聴者がいなくなった場合（表示装置に含まれる人感センサーなどで検知することが可能）。
【００３５】
〔実施形態２〕
実施形態２では、実施形態１と同様の構成をもつ表示装置において、番組詳細情報の閲覧履歴情報を基に、番組詳細情報を表示している時間制御を行う場合の実施形態について述べる。具体的には、表示制御部で閲覧履歴記憶部を参照し、番組詳細情報が視聴者にとって未知のものか既知のものか等を判断する。さらに、前記表示制御部では、その判断した結果を基に、番組詳細情報を表示している時間を確定し、確定した時間が経過したかどうかを判別する。詳細情報表示部では、前記表示制御部で判別した結果に基づいて、番組詳細情報を非表示にする。
【００３６】
前記表示制御部での処理を、図３（ｂ）を用いて説明する。まず、Ｓ３０５で閲覧履歴記憶部の情報を参照し、Ｓ３０６で番組詳細情報を表示している時間を確定する。確定した番組詳細情報を表示している時間が経過したかどうかをＳ３０７で判別し、その表示時間が経過したと判別すると、Ｓ３０８で詳細情報表示部に対して表示されている番組詳細情報を非表示にさせる。
【００３７】
次に、前記表示制御部で行う、Ｓ３０６の番組詳細情報を表示している時間を確定する処理について、図４（ｂ）を用い説明する。番組に関する閲覧履歴を元に、Ｓ４０４でその番組詳細情報は視聴者にとって未知のものか既知のものかを判断する。視聴者にとって未知の番組詳細情報である場合、Ｓ４０５で表示時間がＴ２Ａであると確定する。また、視聴者にとって既知の番組詳細情報である場合、Ｓ４０６で表示時間がＴ２Ｂであると確定する。Ｔ２Ａは、Ｔ２Ｂよりも長い時間になっている。そのため、視聴者にとって未知の番組詳細情報ほど長時間、表示装置に表示される。
【００３８】
また、実施形態１と同様に、選択回数の項目のデータを参照し、番組詳細情報の表示時間を段階的に調節してもよい。例えば、選択回数が０回の場合は３分間番組詳細情報を表示し、選択回数が１回の場合は２分間番組詳細情報を表示し、選択回数が２回以上の場合は１分間番組詳細情報を表示することが考えられる。
【００３９】
図６（ｂ）は、選択回数と番組詳細情報を表示している時間の関係を示したグラフである。様々な曲線や変化率のパターンがあるものの、基本的に選択回数が少ないほど長時間番組詳細情報を表示する。その他の処理については、実施形態１と同様である。
【００４０】
なお、表示制御部での処理の種類によって、番組詳細情報を表示するまでの時間（Ｔ１）を制御する処理を実施形態１で、番組詳細情報を表示している時間（Ｔ２）を制御する処理を実施形態２で述べたが、本発明の表示制御部は、これらの処理のうち片方だけを行うものであっても良いし、両方の処理を行うものであってもよいことは言うまでもない。
【００４１】
〔実施形態３〕
実施形態３では、前記実施形態１および実施形態２記載の表示装置とは異なり、選択項目部を備え、表示画面に番組リストが表示される第二の表示装置について述べる。
【００４２】
図７は、本発明の表示装置の第二の構成及びその表示画面の例を、それぞれ（ａ）と（ｂ）で図示したものである。表示装置７０１は、少なくとも詳細情報表示部７０２、表示制御部７０３、閲覧履歴記憶部７０４、項目選択部７０５を有する。項目選択部で、一つ以上の番組項目がリスト化された番組リストから一つの項目を選択すると、選択された項目に対応する番組詳細情報が表示される。詳細情報表示部、表示制御部及び閲覧履歴記憶部における処理は、実施形態１および実施形態２の表示装置と同様である。
【００４３】
この実施形態では、番組映像７１０と番組詳細情報７１１の他に、番組リスト７１２が表示されており、番組リストの中の選択された項目７１３と、表示されている番組詳細情報が対応していることが分かるようになっている。図７（ｂ）で図示している３つの表示画面のうち、（例１）は番組リストと番組詳細情報が番組映像に重畳する形式のものである。（例２）は番組リストの領域と番組映像の領域とその他の情報（ニュース情報、おすすめ情報、テロップ情報など）を表示する領域に分かれており、その他の情報を表示する領域に一時的に番組詳細情報が表示されているものである。（例３）は番組映像と番組リストが重畳せず、かつ番組映像に番組詳細情報が重畳する形式のものである。ただし、番組詳細情報、番組リスト及び番組映像の表示形態は、なんら限定されるものではない。
【００４４】
〔実施形態４〕
前記実施形態３にて説明した番組リストや番組詳細情報の情報は、時間の推移によって変化するものである。そこで、実施形態４では、番組詳細情報が表示されている間に、その番組詳細情報が新しくなった場合の表示形態について述べる。具体的な表示形態としては次のようなものがある。
・  一旦番組詳細情報を消去し、再度新しくなった番組詳細情報を表示する時、新しい番組詳細情報を表示するまでの時間を制御する。
・  新しくなった番組詳細情報の表示領域やそれに対応する項目の色や形状を変える。
・  新しくなった番組詳細情報の表示領域やそれに対応する項目を点滅させる。
・  新しくなった番組詳細情報やそれに対応する項目にアイコンを付加し、マーキングを行う。
【００４５】
なお、実施形態４は実施形態１から実施形態３に対して付加的に実施することができるものである。また、このように番組詳細情報が新しくなった場合、必要に応じて閲覧履歴記憶部のデータが更新されうることは言うまでもない。
【００４６】
〔実施形態５〕
実施形態１から実施形態４では、番組詳細情報の閲覧履歴の情報を用い、番組詳細情報について表示の時間を制御する場合の形態について述べたが、実施形態５では、番組詳細情報の表示形態を制御する場合の表示形態について述べる。
【００４７】
具体的には、番組詳細情報が視聴者にとって未知である時は目立つように表示し、既知である時はあまり目立たないように表示する。例えば、
・  未知の時は不透明な領域で表示し、既知の時は半透明にする。
・  未知の時は大きな文字で表示し、既知の時は小さな文字で表示する。
・  未知の時は番組詳細情報の表示領域を大きく確保し、既知の時は番組詳細情報の表示領域を狭くする。
【００４８】
なお、実施形態５でも、前記実施形態１から実施形態４と同様、未知の時の表示形態と既知の時の表示形態を段階的に調節することや、視聴者が閲覧した番組詳細情報の内容を忘れたとみなす処理を行うことも可能である。また、実施形態４のように、表示されていた番組詳細情報が新しくなった場合の処理を付加的に行うことも可能である。
【００４９】
なお、上記実施形態１ないし実施形態５で説明した表示装置及びその表示方法を適宜組み合わせて用いることができることは言うまでもない。
【産業上の利用可能性】
【００５０】
本発明は、表示装置において番組詳細情報を表示するための表示装置及びその表示方法に関するものである。
【符号の説明】
【００５１】
１０１、７０１  表示装置
１０２、７０２  詳細情報表示部
１０３、７０３  表示制御部
１０４、７０４  閲覧履歴記憶部
７０５  項目選択部
１１０、７１０  番組映像
１１１、７１１  番組詳細情報
７１２  番組リスト
７１３  選択された項目
【図１】
2011160237.tif 000003
【図２】
2011160237.tif 000004
【図３】
2011160237.tif 000005
【図４】
2011160237.tif 000006
【図５】
2011160237.tif 000007
【図６】
2011160237.tif 000008
【図７】
2011160237.tif 000009